(57)【要約】      （修正有）【課題】インタネット等の分散コンピュータ・ネットワーク内における広告の目標とされる文脈表示を管理する。【解決手段】共用サーバ・プラットフォーム４０は管理プラットフォーム３０，ＰＰ１，ＰＰ２に共通するとともに相互接続されている。各管理プラットフォーム３０，ＰＰ１，ＰＰ２はそれ自体のスポンササイト１０及びそれ自体のホストサイト２０と関連され、オペレータ自体のブランドの下で動作され得る、広告リンクの目標とされる文脈表示の管理のための自発的システムを構成する。共用サーバ・プラットフォーム４０は、様々な管理プラットフォーム３０，ＰＰ１，ＰＰ２と関連されかつ随意的にはＶＯＩＰアプリケーションを介してスポンサに電話するユーザ用の容量と関連されたホストサイト２０上に、スポンササイト１０からの広告リンクＡｄ Ａ，Ａｄ Ｂの目標とされる文脈表示を可能とするように構成されている。【選択図】  図１
2006195974.tif 000002
【特許請求の範囲】
【請求項１】
各々がホストサイト上に表示されるべき主題を含む複数のスポンササイトと、各々がスポンササイトからの主題を表示すべく構成された少なくとも１ページを有する複数のホストサイトとを含む、インタネット等の分散コンピュータ・ネットワーク内において、特に広告等の主題の目標とされた文脈表示のためのシステムであって、当該システムが各々がオペレーティング手段を有する複数の管理プラットフォームを備え、該オペレーティング手段が：
−  スポンサにアクセス可能であるスポンササイト管理ユニットであり、スポンササイトからの主題の目標とされる表示を運営するスポンサ用手段と、スポンササイトから引き出されて、前記ホストサイトにおける主題の目標とされる表示に対する文脈を識別するキーワード、カテゴリ、及び／又は、パラメータを記憶する手段と、を含むスポンササイト管理ユニット、
−  ホストにアクセス可能なホストサイト管理ユニットであり、スポンササイトからの主題のそれらホストサイトのページ上での目標とされる表示を運営するホスト用手段と、ホストサイトから引き出されて、該ホストサイトを目標に向けることになる文脈を識別するキーワード、カテゴリ、及び／又は、パラメータを記憶する手段と、を含むホストサイト管理ユニット、
−  スポンササイトからの主題のホストサイト上での目標とされる文脈の表示のために、前記スポンササイトの前記キーワード、カテゴリ、及び／又は、パラメータを、前記ホストサイトの該当物と照合する手段、を含んで構成され、
−  当該システムが前記管理プラットフォームに共通する共用サーバ／プラットフォームを備え、
−  管理プラットフォームの全ての前記オペレーティング手段が競合し、前記管理プラットフォームの照合のための前記手段が前記共用サーバ・プラットフォームを介して相互接続されており、
−  各管理プラットフォームがそれ自体のスポンササイトと関連するとともに、前記管理プラットフォームだけにアクセスするそれ自体のホストサイトと関連され、各管理プラットフォームが分散コンピュータ・ネットワーク内において主題の目標とされる文脈表示のための自発的システムを構成しており、
−  前記共用サーバ・プラットフォームが、様々な管理プラットフォームと関連するホストサイト上にスポンササイトからの主題の目標とされる文脈表示を可能とするように構成されていることを特徴とするシステム。
【請求項２】
−  各管理プラットフォームが、前記様々な管理プラットフォームに対して様々であるそれ自体の管理プラット・コードによって識別され、
−  各管理プラットフォームのスポンササイトの前記キーワード、カテゴリ、及び／又は、パラメータと、各管理プラットフォームのホストサイトの前記キーワード、カテゴリ、及び／又は、パラメータとがそれらが関連される前記管理プラットフォームの前記管理プラットフォーム・コードと関連され、
−  一方の管理プラットフォームの前記管理プラットフォーム・コードと関連されたスポンササイトの前記キーワード、カテゴリ、及び／又は、パラメータが、前記共用サーバ・プラットフォームを介して、他方の管理プラットフォームの前記ホストサイトの前記キーワード、カテゴリ、及び／又は、パラメータとの照合に有効であり、前記有効性が可能性ある例外に支配され、
−  一方の管理プラットフォームの前記管理プラットフォーム・コードと関連されたホストサイトの前記キーワード、カテゴリ、及び／又は、パラメータが、前記共用サーバ・プラットフォームを介して、他方の管理プラットフォームの前記スポンササイトの前記キーワード、カテゴリ、及び／又は、パラメータとの照合に有効であり、前記有効性が可能性ある例外に支配されている、請求項１記載のシステム。
【請求項３】
所与のスポンササイト及び所与のホストサイトと関係して実行される動作と関係する統計をコンパイルする手段を更に含み、前記統計が前記スポンササイト及びホストサイトの前記管理プラットフォーム・コードと関連されている、請求項１記載のシステム。
【請求項４】
各管理プラットフォームが前記統計をコンパイルする手段を含む、請求項３記載のシステム。
【請求項５】
前記共用サーバ・プラットフォームが前記管理プラットフォームに共通する中央統計ユニットを含み、該中央統計ユニットが所与のスポンササイトと関係する様々な管理プラットフォームによって実行される動作と、所与のホストサイトと関係する前記様々な管理プラットフォームによって実行される動作とに関係する統計をコンパイルする手段を含む、請求項３記載のシステム。
【請求項６】
前記コンパイル手段が、所与のスポンササイトのホストサイトとの通信、表示又はアクセスの回数、そうした通信、表示又はアクセスの期間、及び／又は、活動がそれに関連して実行される回数、と関係する統計をコンパイルするとともに、所与のホストサイトのスポンササイトとの通信、表示又はアクセスの回数、そうした通信、表示又はアクセスの期間、及び／又は、活動がそれに関連して実行される回数、と関係する統計をコンパイルする、請求項３記載のシステム。
【請求項７】
各管理プラットフォームがスポンササイト及びホストサイトから前記キーワード、カテゴリ、及び／又は、パラメータを引き出す手段を含み、そのキーワード／カテゴリ／パラメータ引き出し手段が、
a)  スポンササイト又はホストサイトのスポンサ又はホストによってキーワードの入力を補助する手段と、
b)  １つのサイト内のテキストの分析によってキーワード、カテゴリ、及び／又は、パラメータを自動的に生成する手段と、
c)  １つのサイトのヘッダ／タイトルにおけるメタタグからキーワード、カテゴリ、及び／又は、パラメータを生成する手段と、
d)  １つのサイトのオーディオ・コンテンツを処理し、その処理されたオーディオ・コンテンツからキーワード、カテゴリ、及び／又は、パラメータを生成する手段と、
のうちの少なくとも１つを含む、請求項１記載のシステム。
【請求項８】
i)   水平又は垂直のバナー或いは他の固定スペース、
ii)  サイドバー、
iii)  ユーザ起動に応じてディスプレイを起動するリンクされたテキスト、
iv)  前記ホストサイトのページ上で変位され得て、ユーザ起動に応じてディスプレイを起動するリンクを含む重ね合わせ可動要素、
v)  ユーザにスポンサとの電話通信を始動させることを可能とするＶＯＩＰによってリンクされたゾーン、
vi)  ホストサイトのいくつかのページに共通するパネル、
vii) スポンサ付きリンク、別のサイト上のページに向けられたリンク、前記ホストサイト上の別のページに向けられたリンク、の各種リンクのうちの少なくとも１つを表示するように構成された表示エリア又は複数の表示エリア、
viii) 矩形形態を有する機能制御エリアと、前記制御エリアの隅及び／又は縁に沿って開かれ得る矩形表示エリアとから形成された表示パネル、
ix)  スポンサ付きリンクと関連された画像及び／又はテキストを含む表示エリア又は複数の表示エリア、
のうちの少なくとも１つである表示パネルを有するホストサイトを伴って動作する、請求項１記載のシステム。
【請求項９】
前記管理プラットフォームが、当該管理プラットフォーム内においてホストサイトの前記表示パネルの属性を規定する前記コードを記憶する手段を含み、該記憶手段が、前記管理プラットフォーム内において、各ホストサイトからアクセス可能である、請求項７記載のシステム。
【請求項１０】
少なくとも１つの管理プラットフォームがスポンササイトとして有効であるサイトを維持する、請求項１記載のシステム。
【請求項１１】
前記動作手段の前記機能を提供するが前記様々な管理プラットフォームの照合のための前記手段と通信する前記共用サーバ・プラットフォーム自体の手段を前記共用サーバ・プラットフォームが処理しない、請求項１記載のシステム。
【請求項１２】
少なくとも１つの管理プラットフォームが、ユーザ要求に応じて、電話通信を受け取るスポンサ容量の有効性を検査し、スポンサへの電話のためのユーザ要求をログし、ユーザの電話要求をスポンサに送信して、次いで該スポンサが前記ユーザに電話通信を始動するように配置されている、請求項８の特徴v)に記載のシステム。
【発明の詳細な説明】
【技術分野】
【０００１】
本発明は、インタネット及びその他のネットワークを介して、特にスポンサ付き広告の普及を管理する管理プラットフォームに関する。
【背景技術】
【０００２】
現在、スポンサ付きリンクの追加をサイト・オーナに提案する数多くのインタネット・サイトがある。これらリンクはホストサイトに配置され、広告目的で広告主又はスポンサのサイトにアクセスすることを可能としている。ホストサイトを通じてスポンサのサイトにアクセスする各ネットサーファのために、販売促進サービスのサプライヤと自身のサイト上でこのタイプのリンクを統合することに合意したサイト・オーナとの間で分配されるべき金融的返報をスポンサは支払う。これらのサービスは周知であり、特に企業としてのグーグルやオーバーチュァによって提案されている。コンピュータ・マウスのクリックによってアクセスされるたびに支払が発生するので、これらサービスは「クリック報酬型（ペイ-パー-クリック）」との名称の下で知られている。
【０００３】
現行有効なシステムは、企業又は個人が、インタネット、エクストラネット、イントラネット・サイト、テレビジョン・ネットワーク、又は、電話ネットワーク等のサポート上での広告を自分等自体のアカウントで管理することは不可能であるか、或いは、全てのタイプでありかつ任意のフォーマットでの広告を普及することを望む広告主に対するアカウントを管理することは不可能であるという意味で、全てクローズド・システムである。逆に、スポンサ付きリンクを発行する既知のシステムにおいて、各システムは広告アカウントの管理において制限を暗示する中央組織によって管理される。一方において、広告の集まりは中央組織によって管理され、他方において、同一又は異なる組織は広告を発行すべくホストサイトの補充を集中させる。典型的には、中央組織は広告の発行を、そのサーチエンジンの使用等の「無料」サービスとリンクする。
【０００４】
パラメータ、そして、特に場所及びカラーを設定するパラメータが規定された際にスポンサ付きリンクを表示する既知のシステムによって、決定されたホストサイト上に表示された広告リンクは自動的に提案される。これらリンクは、ホストサイトのコンテンツ、即ち、その言語や可能性ある他の予め規定されたパラメータの分析に従って決定される。次いでサーチは、潜在的なスポンサのサイト間、即ち、オーナがホストサイトから生ずる自分等のサイトへの各訪問に対する特定量を支払う用意がある旨を明言したオーナのサイト間でのサーチエンジンによって実行される。このサーチの目的はホストサイトと類似の１つ又はそれ以上のサイトを見出すことである。このアナロジーは、特にサイトのコンテント及び言語に関して実行される。次いでスポンササイトに向かうリンクは、ホストサイトに統合される。
【０００５】
既知のシステムによって、ホストサイトは、処理される主題が類似しているから、リンクをそれ自体の競合企業又は競合者のサイトに向けて必然的に統合する。これを回避すべく、これらサービスのサプライヤは自分等のＵＲＬアドレスを指示することによって特定の競合者のサイトを排除することを可能となす手段を提案している。これら手段はリンクの個人向け管理を可能としない、即ち、ホストサイトの各オーナに特有の規準に応答するリンクの管理を可能としない。
【０００６】
ＷＯ ２００４／０６１５６（特許文献１）はブラウジング装置と、ホストに対してより開放された関連管理プラットフォームとを提案している。このブラウジング装置及び管理プラットフォームにおいて、各ブラウジング装置はコンピュータ・ネットワークによってアクセス可能なコンピュータ・コードで規定された少なくとも１ページからなるホストサイトと接続され、管理サイトは各ブラウジング装置と関連された管理ファイルを含む。管理サイトにおけるこのファイルはホストサイト上の表示パネルの掲載を規定するデータを含み、管理ファイルは、ホストサイトから表示パネルの掲載を規定するデータのインストール、コンフィギュレーション、及び／又は、変更を許容するように、ホストサイトからアクセス可能である。
【特許文献１】ＷＯ ２００４／０６１５６
【０００７】
この特許文献１の発明は、使用及び構成が単純でありかつ広告リンク又はスポンサ付きリンクの表示に特に適用可能であるフレキシブル装置を提供することによって、先行技術に係るブラウジング装置の短所を軽減する。この装置はホストサイトのコンピュータ・コードにおけるコンフィギュレーション・パラメータの導入を要求せず、よって、そのコンフィギュレーションとその使用方法に関してより容易なインストール及びより大きな柔軟性を可能としている。補助的ブラウジング要素として、それは連続的に或いは要求あり次第にユーザの配置のまま居残る。更にはその装置は登録後直ちにオンラインで起動され得る。
【０００８】
スポンサ付きリンクの表示に対して、ホストサイトのコンピュータ・コードを変更すること無しに単純で柔軟な様式で表示パラメータを変更することが可能である。既存のサイトの美的感覚を変更する必要性無しにその装置をインストールすることも可能である。
【０００９】
更には、ホストサイト上に現れるリンクは最適な様式で管理され得る。そのために、ホストサイトのオーナを傷つける危険性を作り出すこと無しに、リンクがホストサイトの訪問者に興味を提供するサイトと実際に対応するようにそれらリンクを規定することが可能である。この装置は、いわゆる、「クリック報酬型」のペイ-アクセス広告サービスが以前と比較してより多くのホストサイトから提供されることを可能とし、その理由として、そのインストールの容易性と、サイトの変更又はコード或いはその美学感覚に関する変更を要求しないという事実とがある。先行技術に係るシステムをセットアップする複雑性によって、限定された数の訪問を受けるホストサイト・オーナにとって、これらのタイプのリンクを該オーナのサイトに統合することは価値あることではない。この複雑なセットアップは削減されたという事実の観点から、このサービスの統合が殆ど訪問のないホストサイトにも興味深いことを証明している。広告主又はスポンサについて言えば、目標とされた公衆がより多くのポイントから自分等のサイトにアクセスできるという事実はそのサービスを特に興味深くする。
【００１０】
よって特許文献１の発明は、それを使用することを望む任意の個人又は企業にアクセス可能なアプリケーションを提供して、ホストサイト上に広告を表示して普及する。特許文献１のシステムとは異なって、他の先行技術に係るシステムは閉ざされているものであり、即ち、それらのオーナ又はそれらの使用に対して責任ある個人だけに使用可能である。
【００１１】
特許文献１の発明は、短所を提示すること無しに、様々な既存のブラウジング・システムの各種長所を組み合わせているので、先行技術に係る装置に比べて特に有益である。特にこの装置は、そのコンフィギュレーション及び使用方法に関してより単純なインストールとより大きな柔軟性を可能とするコンフィギュレーション・パラメータをホストサイトのコンピュータ・コードに導入することを要求していない。ブラウジングに対する予備の補助要素として、その装置は連続的に或いは要求あり次第にユーザにとって有効であり得る。表示パネルは各種サイト間又は１つのサイト内のブラウジングを可能としている。それは非常に使い勝手が良くかつ効果的であり、有用なデータを表示すべく有効なスペースの重要でかつ不可逆的な損失を含むことがない。更には、スポンサ付きリンクの管理を単純で、柔軟に、そして、目標とされた様式で、ホストサイトのオーナとスポンササイトのオーナの双方のために可能としている。
【００１２】
こうして特許文献１は、特にホストサイトに対してより大きく開かれるとともに、スポンサにより魅力的となるようなシステムを提供するものであり、該システムは、各種サイトが多くの訪問を受けないかもしれないが、関連目標であるそれらサイト上の広告に対する可能性を開放するからである。それにもかかわらず、多くの広告ソースをコーディネートされた様式で多くのホストサイト上での表示を有効になしつつ、独立した代理人が自身の宣伝分配を管理すべく、独立した代理人に対する可能性を提供するために、目標とする広告の管理が中央のクローズド・コンフィギュレーションにより依存しないようになす必要性が依然としてある。
【発明の開示】
【発明が解決しようとする課題】
【００１３】
本発明の目的は、企業自体のスポンサ付きリンク広告サービスを提供したい該企業に対して、スポンササイト及びホストサイトに関する全ての行動を管理すべくそれを可能とする管理プラットフォームを有効となすことであり、それによって数多くの広告ソースが多くのホストサイト上での表示に有効とすることができる。
【課題を解決するための手段】
【００１４】
本発明は、各々がホストサイト上に表示されるべき主題を含むスポンササイトや、各々がスポンササイトからの主題を表示するための表示パネルで少なくとも１ページを有するホストサイトを含むインタネット等の分散コンピュータ・ネットワークにおいて、主題、特に広告の目標とされる文脈表示に対するシステムに関する。このシステムは、各々が以下のオペレーティング手段を有する複数の管理プラットフォームを備える：
−  スポンサにアクセス可能であるスポンササイト管理ユニットであり、スポンササイトからの主題の目標とされる表示を運営するスポンサ用手段と、スポンササイトから引き出されて、ホストサイトにおける主題の目標とされる表示に対する文脈を識別するキーワード、カテゴリ、及び／又は、パラメータを記憶する手段と、を含むスポンササイト管理ユニット、
−  ホストにアクセス可能なホストサイト管理ユニットであり、それらホストサイトのページ上にスポンササイトからの主題の目標とされる表示を運営するホスト用手段と、ホストサイトから引き出されて、ホストサイトを目標に向けることになる文脈を識別するキーワード、カテゴリ、及び／又は、パラメータを記憶する手段と、を含むホストサイト管理ユニット、
−  スポンササイトからの主題の目標とされる文脈のホストサイト上での表示のために、前記スポンササイトの前記キーワード、カテゴリ、及び／又は、パラメータを、ホストサイトの該当物と照合する手段。
【００１５】
本発明の目的を達成すべく、本システムは様々な管理プラットフォームに共通する共用サーバ・プラットフォームを備える。それら管理プラットフォーム全てのオペレーティング手段は競合する。管理プラットフォームの照合のための手段は共用サーバ・プラットフォームを介して相互接続されて、それで管理プラットフォームが独立して動作することが可能となるが、それは共用サーバ・プラットフォームを介して相互に協働してである。
【００１６】
各管理プラットフォームはそれ自体のスポンササイト及びホストサイトと関連し、それらはそれら自体の管理プラットフォームだけにアクセスできる。各管理プラットフォームは、分散コンピュータ・ネットワーク内において主題の目標とされる文脈表示のための自発的プラットフォームを構成している。更には、共用サーバ・プラットフォームは、スポンササイトからの主題の目標とされる文脈表示が様々な管理プラットフォームと関連されたホストサイト上になされるように配置されている。
【００１７】
この発明によって、各管理サーバ・プラットフォームは管理プラットフォームのスポンサ及びホストの間の目標とされる広告リンクの独立かつ自発的な動作を可能とし、共用サーバ・プラットフォームは、以下に詳述されるように、様々な管理プラットフォームのスポンサ及びホストの間での共用を可能としている。このようにして、本発明は各管理プラットフォームのオペレータが、それ自体のブランド又は取引指定を用いて、スポンササイト及びホストサイトのそれ自体のネットワークを独立して管理することを可能としている。これは、純粋な中央の閉ざされた管理を有する既存のスポンサ付きリンク・システムでは、或いは、ローカル広告に対する既存構成では可能ではない。
【００１８】
そうした共用を可能とすべく、各管理プラットフォームはそれ自体の管理サイト・コードによって識別され得て、各管理プラットフォームのこの固有コードは以下の如くその活動の全てと関連されている。
【００１９】
このコードは、各管理プラットフォームのスポンササイト及び各管理プラットフォームのホストサイトのキーワード、カテゴリ、及び／又は、パラメータをそれらが関連させられる管理プラットフォームの管理プラットフォーム・コードと関連させている。このようにして、全てのスポンササイト及びホストサイトはこのコードによって管理プラットフォームとリンクされて、スポンササイト又はホストサイトと関連する全ての動作はそれらの管理プラットフォームのコードによって識別され得る。
【００２０】
この方式に従えば、１つの管理プラットフォームの管理プラットフォーム・コードと関連されたスポンササイトのキーワード、カテゴリ、及び／又は、パラメータは、ホストサイトのキーワード、カテゴリ、及び／又は、パラメータとの照合に有効である。この照合は、管理プラットフォーム自体を介しての同一管理プラットフォームのスポンサ及びホストのサイトの照合であるか、或いは、共用サーバ・プラットフォームを介しての他方の管理プラットフォームの該当物との照合であり、照合のこの有効性は可能性ある例外に支配される。言い換えれば、１つの管理プラットフォームの全てのスポンササイトは同一の管理プラットフォームの照合するホストサイト上で発行され得るか、或いは、共用サーバ・プラットフォームを介しての様々な管理プラットフォームの該当物との照合であり得る。可能性ある例外はスポンサ（例えば、指示された競合者のページ上に配置された広告を望まないスポンサ）によって、或いは、管理プラットフォームの所有者によって規定され得る。
【００２１】
同じように、一方の管理プラットフォームの管理プラットフォーム・コードと関連されたホストサイトのキーワード、カテゴリ、及び／又は、パラメータは、同一管理プラットフォームのスポンササイトのキーワード、カテゴリ、及び／又は、パラメータとの照合に対して有効であるか、或いは、共用サーバ・プラットフォームを介しての他方の管理プラットフォームの該当物との照合に有効であり、照合のためのこの有効性も可能性ある例外に支配される。これが意味することは、１つの管理プラットフォームの全てのホストサイトが同一の管理プラットフォームのスポンササイトからの照合広告を受け取ることができ、或いは、共用サーバ・プラットフォームを介しての様々な管理プラットフォームの該当物との照合広告を受け取ることができ、ホスト（例えば、自身のサイト上に発行されるその指示された競合者の広告を望まないホスト）によって規定された可能性ある例外、或いは、管理プラットフォームのオペレータによって規定された例外を伴う。
【００２２】
これは１つの方法を表現し、それによって本発明のシステムは、スポンササイトからの主題の目標とされる文脈表示を同一の管理プラットフォームと関連されるか或いは様々な管理プラットフォームと関連されたホストサイト上に行わすことを可能とする一方で、個々の管理プラットフォームの管理は自発的なままである。これは、管理プラットフォームのオペレータが、それらのホストが広範囲の広告主とアクセスし、それら広告主が広範囲のホストを目標とすることができるようなコーディネートされた様式で目標とされた広告リンクのビジネス局面を独立して管理させることを可能としている。
【００２３】
本システムは、所与のスポンササイト及びホストサイトと関係して実行される動作と関係する統計をコンパイルする手段を好ましくは含み、それら統計はスポンササイト及びホストサイトの管理プラットフォーム・コードと好ましくは関連されている。一実施例において、各管理プラットフォームは、そうした統計をコンパイルする手段を含む。
【００２４】
本システムの共用サーバ・プラットフォームは、管理プラットフォームに共通する中央統計ユニットを含むことができ、その中央統計ユニットは、所与のスポンササイトと関係する様々な管理プラットフォームによって実行される動作と、所与のホストサイトと関係する様々な管理プラットフォームによって実行される動作と、に関係する統計をコンパイルする手段を有する。共用サーバ・プラットフォームも様々な管理プラットフォームにおいて生成される統計を利用し得る。
【００２５】
管理プラットフォーム及び／又は共用サーバ・プラットフォームにおけるこれらコンパイル手段は、例えば、所与のスポンササイトのホストサイトとの通信、表示又はアクセスの回数、そうした通信、表示又はアクセスの期間、及び／又は、活動がそれに関連して実行される回数、と関係する統計をコンパイルするとともに、所与のホストサイトのスポンササイトとの通信、表示又はアクセスの回数、そうした通信、表示又はアクセスの期間、及び／又は、活動がそれに関連して実行される回数、と関係する統計をコンパイルする。
【００２６】
共用サーバ・プラットフォームが統計動作を実行すると、対応する結果が管理プラットフォームに入手可能となって、それで、それらの動作が関連統計にアクセスでき、そして特定の統計に係わるスポンサ及びホストはそれらにアクセスできる。
【００２７】
より好ましくは、各管理プラットフォームがスポンササイト及びホストサイトから前記キーワード、カテゴリ、及び／又は、パラメータを引き出す手段を含む。そのキーワード／カテゴリ／パラメータ引き出し手段は以下のうちの少なくとも１つを含み、そしてより好ましくは様々な可能性から大きな選択を提供する。
a)  スポンササイト又はホストサイトのユーザによってキーワードの入力を補助する手段であり、例えば、入力キーワードへのスポンサ又はホストに対するプロンプトを伴う補助メニューの形態で補助する手段、
b)  １つのサイト内のテキストの分析によって、特にリアルタイムでのテキスト分析を可能する分析によって、キーワード、カテゴリ、及び／又は、パラメータを自動的に生成する手段、
c)  １つのサイトのヘッダ／タイトルにおけるメタタグからキーワード、カテゴリ、及び／又は、パラメータを生成する手段、
d)  １つのサイトのオーディオ・コンテンツを処理し、その処理されたオーディオ・コンテンツからキーワード、カテゴリ、及び／又は、パラメータを生成する生成手段であり、その処理されたオーディオ・コンテンツが前記オーディオ・コンテンツからテキストを作り出す音声認識プログラムを含み得て、次いでそのテキストが先に示された手段ｂ）によって分析されることからなる生成手段。
【００２８】
先の手段の組み合わせは、ホスト及びスポンサの動的な文脈照合を提供することによってスポンササイト及びホストサイトの特にリアルタイム照合を可能としている。
【００２９】
本システムは、以下のうちの１つ又はそれ以上である表示パネルを有するホストサイトを伴って動作できる。
i)   水平又は垂直のバナー或いは他の固定スペース、
ii)  サイドバー、
iii)  ユーザ起動に応じてディスプレイを起動するリンクされたテキスト、
iv)  前記ホストサイトのページ上で変位され得て、（上記特許文献１のように）ユーザ起動に応じてディスプレイを起動するリンクを含む重ね合わせ可動要素、
v)  ユーザにスポンサとの電話通信を始動させることを可能とするＶＯＩＰによってリンクされたゾーン、
vi)  ホストサイトのいくつかのページに共通するパネル、
vii) スポンサ付きリンク、別のサイト上のページに向けられたリンク、前記ホストサイト上の別のページに向けられたリンク、の各種リンクのうちの少なくとも１つを表示するように構成された表示エリア又は複数の表示エリア、
viii)  矩形形態を有する機能制御エリアと、前記制御エリアの隅及び／又は縁に沿って開かれ得る矩形表示エリアとから形成された表示パネル、
ix)  スポンサ付きリンクと関連された画像及び／又はテキストを含む表示エリア又は複数の表示エリア。
【００３０】
有益な実施例における管理プラットフォームは、当該管理プラットフォームにおいて、ホストサイトの表示パネルの属性を規定するコードを記憶し、該管理プラットフォームにおけるそれら記憶手段は、上記特許文献１に記載されるとともに請求されたように、各ホストサイトからアクセス可能である。これは、上記特許文献１に従ったユーザ・サイト統合に対する柔軟性を本発明の全体的な管理柔軟性と組み合わせて、広告代理店、他の企業、又は、個人に利用可能となし、自発的管理プラットフォームを動作する可能性は広告主及び／又はホストサイトの補充に関する局所的な活動又は領域制限活動を有する。ホストサイトの管理に関する増大された柔軟性のためのこの可能性は、通常、パラメータがホストサイトのコード内に規定され得るバナー等を用いて、ホストサイト・ページを管理する他の方法と連携して提供される。
【００３１】
更に、本システムの少なくとも１つの管理プラットフォームは、自身のサイトを有しない広告主或いはこの目的のために自身のサイトを使用することを望まない広告主によって、スポンササイト／使用ページとして有効であるページを含むサイトを維持できる。
【００３２】
本発明は、広告主が入札することも可能とし、即ち、競売入札での購買することも可能として、サイト上、又は、非常に頻繁に訪問されるサイト上に支配的位置に現れる権利である。更に、これは、この発明のユーザと関連されたアカウントの運営を可能としている。
【００３３】
本発明は、例示的に付与された添付の線図を参照して更に説明される。
【発明を実施するための最良の形態】
【００３４】
図１は、インタネット等の分散コンピュータ・ネットワークにおける、目標とされた広告の文脈表示のための本発明に従ったシステムを概略的に示す。このネットワークは、ホストサイト上に表示されるべき主題を各々が含むスポンササイト１０と、スポンササイト１０からの広告又は他の主題を表示すべく配列された少なくとも１ページを各々が有するホストサイト２０とを備える。このシステムは、図２ないし図６と関連して後に説明されことになるオペレーティング手段を各々が有するいくつかの管理プラットフォーム３０を備える。それら管理プラットフォームは自発的に動作し、それらのオペレータが、自分等のスポンササイト１０からの広告の目標とされる表示に関する全ての事柄や、自分等の関連ホストサイト２０に関する全ての事柄を、各々独立してかつ自発的に管理できるので、「好適パートナ(Preferred Partners)又はＰＰ」と呼称される。
【００３５】
このシステムは、スポンササイト１０から引き出されるとともにホストサイト２０における主題の目標とされる表示のための文脈を識別するキーワード、カテゴリ、及び／又は、パラメータを、ホストサイト２０から引き出されるとともにホストサイト２０を目標に向けることになる文脈を識別するキーワード、カテゴリ、及び／又は、パラメータと比較することによって動作する。
【００３６】
本システムは、様々な管理プラットフォーム３０のための共用サーバ・プラットフォーム４０を有する。管理プラットフォーム３０の全てのオペレーティング手段は同等であるか又は競合して、その共用サーバ・プラットフォーム４０を介して相互接続され、それでそれらにとって独立しているが共用プラットフォーム４０を介して相互に協働して動作することが可能となる。
【００３７】
簡略化の目的で図１は、共用サーバ・プラットフォーム４０と関連された、ＰＰ１及びＰＰ２と指定された２つの管理プラットフォーム３０を示す。勿論、任意の数の管理プラットフォーム３０は１つの共用サーバ・プラットフォーム４０から動作させられ得る。
【００３８】
各管理プラットフォーム３０（ＰＰ１及びＰＰ２）は、それ自体のスポンササイト１０とそれ自体のホストサイト２０の双方と関連され、分散コンピュータ・ネットワークにおいて、主題の目標とされた文脈表示のための自発的なシステムを構成する。更には、共用サーバ・プラットフォーム４０は、様々な管理サイト（ＰＰ１又はＰＰ２）と関連されたホストサイト２０上に、スポンササイト１０からの広告又は他の主題の目標とされる文脈表示を可能とするように配置されている。これは、各管理サイトＰＰ１又はＰＰ２のオペレータが、それ自体の、スポンササイト１０及びホストサイト２０からなるネットワークを独立して管理することを可能としている。この発明によって、共用サーバ・プラットフォーム４０は各管理プラットフォームＰＰ１，ＰＰ２等々のスポンサ１０及びホスト２０の間の目標とされる広告リンクの独立しかつ自発的な動作を可能し、かつ以下に詳述するように、様々な管理サイトのスポンサ及びホストの間の共用を可能としている。
【００３９】
そうした共用を可能すべく、各管理プラットフォーム３０（ＰＰ１又はＰＰ２）は、異なる管理プラットフォームに対して異なるそれ自体の管理プラットフォーム・コードによって識別可能であり、各管理プラットフォームのこの固有のコードは以下の如くに全てのその活動と関連されている。
【００４０】
各管理プラットフォームのスポンササイト１０のキーワード、カテゴリ、及び／又は、パラメータと各管理プラットフォームのホストサイト２０のキーワード、カテゴリ、及び／又は、パラメータとは、それらが属する管理プラットフォーム３０（ＰＰ１又はＰＰ２等々）の管理プラットフォーム・コードと関連されている。このようにして、全てのスポンササイト１０及びホストサイト２０は、管理プラットフォーム・コードによって、それらが属する管理プラットフォームＰＰ１又はＰＰ２とリンクされている。
【００４１】
１つの管理プラットフォーム、例えばＰＰ１の管理プラットフォーム・コードと関連されているスポンササイト１０のキーワード、カテゴリ、及び／又は、パラメータは、ホストサイト２０のキーワード、カテゴリ、及び／又は、パラメータとの照合用に有効であり、管理プラットフォームＰＰ１を介して同一の該当物との照合用に有効であり、或いは、共用サーバ・プラットフォーム４０を介して他の管理プラットフォームＰＰ２の該当物との照合用に有効であり、この有効性は可能性ある例外に支配される。これが意味することは、例えばＰＰ１等の１つの管理プラットフォームの全てのスポンササイト１０が同一の管理プラットフォームＰＰ１のホストサイト２０上に発行され得るか、或いは、共用サーバ・プラットフォーム４０を介して異なる管理プラットフォームＰＰ２等の対応物によって発行され得て、これには先に述べたように、スポンサ（例えば、自身の広告が指示された競合者のページ上に配置されることを欲しないスポンサ）によって或いは管理プラットフォームのオペレータによって規定され得る可能性ある例外を伴う。
【００４２】
同様に、例えばＰＰ１等の１つの管理プラットフォームの管理プラットフォーム・コードと関連されているホストサイト２０のキーワード、カテゴリ、及び／又は、パラメータは、同一の管理プラットフォームＰＰ１のスポンササイト１０のキーワード、カテゴリ、及び／又は、パラメータとの照合用、或いは、共用サーバ・プラットフォーム４０を介して他の管理プラットフォームＰＰ２等の該当物との照合用に有効であり、この有効性も可能性ある例外に支配される。これが意味することは、１つの管理プラットフォームの全てのホストサイト２０が同一の管理プラットフォームＰＰ１のスポンササイト１０からの広告を受け取ることができるか、或いは、共用サーバ・プラットフォーム４０を介して異なる管理プラットフォームＰＰ２等の該当物を受け取ることができ、可能性ある例外を伴う。先行して述べたように例外は、ホスト（例えば、その指定された競合者の広告が自身のサイト上に発行されることを欲しないホスト）によって或いは管理プラットフォームのオペレータによって規定され得る。
【００４３】
これは、管理プラットフォームＰＰ１の１つのスポンササイト１０によって提供された広告Ａ（Ａｄ Ａ）と、管理プラットフォームＰＰ２の１つのスポンササイト１０によって提供された広告Ｂ（Ａｄ Ｂ）との単純な例によって図１に図示されている。これら広告の引き出された文脈上のキーワードは、後に説明されるように、様々なホストサイト２０と関連された文脈上のキーワードと比較され、その広告はキーワードの対応する照合を示すホストサイト２０上に表示される。この例において、管理プラットフォームＰＰ１のホストサイト内の１つはこのＡｄ Ａとの照合を示して、このＡｄ Ａを表示する。同様に、管理プラットフォームＰＰ２のホストサイト内の１つはこのＡｄ Ａとの照合を示して、このＡｄ Ａを表示する。同様に、管理プラットフォームＰＰ２のホストサイト内の別のものはＡｄ Ｂとの照合を示して、このＡｄ Ｂを表示し、そして、管理プラットフォームＰＰ１のホストサイトの別のものはＡｄ Ｂとの照合を示して、このＡｄ Ｂを表示する。
【００４４】
こうして記載されたシステムは、同一の管理プラットフォーム（ＰＰ１／ＰＰ１又はＰＰ２／ＰＰ２）、或いは、異なる管理プラットフォーム（ＰＰ１／ＰＰ２又はＰＰ２／ＰＰ１）と関連されたホストサイト２０上に、スポンササイト１０からの主題の目標とされた文脈表示を可能する一方で、個々別々の管理プラットフォーム３０による目標とされた広告リンクの管理は依然として自発的である。これは、管理プラットフォーム・オペレータが、コーディネートされた様式で、目標とされた広告リンクのビジネス局面を独立して管理させることを可能とし、そこでは、それらホスト２０が広告主１０の広範な範囲にアクセスし、そして、それら広告主がホストの広範な範囲を目標として定めることができる。
【００４５】
管理プラットフォーム３０の制御インタフェースの基本的な全体レイアウトは図２に示されている。各管理プラットフォーム３０は、一方では、広告主１０を管理し、そして他方では、ホストサイト２０を管理するソフトウェアを有する。各管理プラットフォーム３０はそのコーディネートを含むそれ自体のプロファイル・ユニット３７をも有し、管理プラットフォーム・コードと、広告主１０によって提出される広告の編集を実行するためのモジュール３８と、他の任意の必要とされる中央機能とを含む。概略的に指示されたように、全ての管理プラットフォーム３０（ＰＰ１等）は中央の共用サーバ・プラットフォーム４０を介してコーディネートされている。
【００４６】
この発明に係るシステムにおいて、リンクされた広告を表示して、複数の広告主１０からなる１集合と複数のホスト２０からなる１集合とを管理する手段の全ては、１つのオペレータの制御下、単一の管理プラットフォーム３０上に一緒に購買される。各々が様々な広告主１０及びホスト２０の様々な集合と関連されているいくつかの自発的な管理プラットフォームＰＰ１，ＰＰ２等々は、共用サーバ・プラットフォーム４０によって相互接続されている。
【００４７】
図２に図示されているように、各管理プラットフォーム３０上の広告主１０及びホスト２０の管理は、符号１２で示された広告主にアクセス可能な個別広告主管理ユニット１１と、符号２２で示されたホストにアクセス可能な個別ホストサイト管理ユニット２１とに帰納的に分離されている。
【００４８】
広告主管理ユニット１１は以下の如くに組織化されている。広告主に対する安全アクセス点は符号１２に提供されている。これは、必要なセットアップ、広告主のアカウントの変更及び管理のために、各広告主にアクセスを付与する。よって広告主は、符号１３での自身の広告の目標化のセットアップと、符号１４での広告の作成（又は挿入）と、符号１５での広告活動又は宣伝活動の作成とに参加できる。広告主管理ユニット１１は、視聴者報告のためのモジュール１６と、自身のコーディネートを含む広告主プロファイルのためのモジュール１７とをも有する。
【００４９】
広告の目標化１３は、例えば、その広告の名前を指定し、国の選択、キーワード及びキーワード・フレーズの選択、他の規準の選択の諸ステップを含み得る。
【００５０】
符号１４での広告の作成は、例えば、名前の指定、通常のリソースを用いての広告の編集、目標化ルール及び限定オプションの選択、の諸ステップを含み得る。
【００５１】
符号１５での広告活動の作成は、名前の指定、継続期間及び経費を含む活動属性の設定、他の様々な最新の設定、広告と広告毎の予算との選択を含み得る。これには広告活動の発行のインタフェースや支払インタフェースが後に続き得る。
【００５２】
視聴者報告１６は広告活動によって、広告によって、そして、他の領域等の他のパラメータによって組織化され得る。
【００５３】
ホストサイト上には、ホストに対する安全アクセス点が符号１２に提供されている。これは、必要なセットアップ、ホストのアカウントの変更及び管理のために、各ホストにアクセスを付与する。よってホストは、符号２３での自身のサイトに関する目標化ルールのセットアップと、符号２４での広告サポートのセットアップとに参加できる。後者は、目標とされた広告等を受けるべくホスト・ページ上の各種ゾーンを規定すべく、必要なコードを導入することを含む。ホスト管理ユニット１１は、視聴者報告のためのモジュール２６と、自身のコーディネートを含むホストのプロファイルのためのモジュール２７とをも有する。
【００５４】
目標化ルール２３は、例えば、ホストサイトの名前の指定、サーチに対する広告用のフォーマットの規定、規準の規定、禁止キーワードの規定、禁止ＵＲＬの規定等々の諸ステップを含み得る。
【００５５】
符号２４での広告サポートのセットアップは、名前の指定、目標化ルールの選択、パレットからの表示用カラーの作成、（詳細には、後の図８ａ及び図８ｂの説明を参照しての、フローティング・サポートを提供すべく、ＤＭＴＬを用いてのFeedSpiders等のバナーからの）広告リンク・サポートの作成、最新オプション、表示の出現を試験すべく事前視覚化、並びに、コード生成を含み得る。
【００５６】
視聴者報告のモジュール２６はホストサイトによって報告へ組織化され得る。
【００５７】
管理プラットフォーム３０は、スポンサ付き文脈リンクの普及と様々なホストサイト上での広告を許容する広告エンジンとしての役割を果たす。広告エンジンは、ウェブサーファ、広告主、並びに、ホストサイトからの様々な規準に応答して、最良の関連広告を送信する。結果を生成すべく、広告エンジンは以下の規準を考慮する：（ウェブサーファや、ホストサイト、そして可能であればスポンササイトの）ＩＰ箇所、言語、キーワード、他のパラメータ、並びに、他の規準。
【００５８】
以下により詳細に説明されるように、管理プラットフォーム３０内に統合された自動化文脈表示はウェブページの自動分析等の様々なテクノロジーを用いて管理されて、区分け規準又はホストサイトの品質及びコンテンツと関連する規準（記事、テーマ、要素の位置決め）を用いてワードの自動関連付けによって、或いは、音声認識及び処理を介しての音声若しくは音分析によってテーマを暴露して、関連ワード又はフレーズを自動的に決定する。表示は、普及手段の機能として適格化されたサポート（インタネット、テレビ、電話）を適合することによってなされる。
【００５９】
図３は、ウェブサーファ（ユーザ）がホストサイト２０にアクセスする際に、目標とされた広告リンクの自動処理に関するいくつかのステップを示す。ウェブサーファのコンピュータのＩＰ箇所やウェブサーファの言語は、符号５０で、標準ルーチンを用いて先ず識別される。符号５２で、システムは自動文脈パーサー５３を用いてＸＭＬでのホストサイトの選り好みをロードする。これらの選り好みは（目標化ルール２３で）ホストによって設定されるか、或いは、以下に説明されるように、文脈的に決定される選り好みを含み得る。次いでサーチは広告主のデータベースにおいて符号５４で始動され、このために、ウェブサーファの国、ウェブサーファの言語を含み、そして、以前に述べたように、ホストサイト規準、ホストサイト・キーワード、セットアップを用いる処理ユニット５５が用いられる。広告と対応する規準を有するホストサイトとの比較がなされ、そして、関連広告が符号５６で復旧されて、ＲＳＳ（リッチ・サイト・サマリー(Rich Site Summary)）、ＸＭＬ（エクステンシブル・マークアップ・ランゲージ）、ＷＳＤＬ（ウェブ・サービス・デフィニション・ランゲージ(Web Service Definition Language)）等々と同様の標準的なインタネット・フォーマットでの広告の集合を含む広告データベース５７から抽出される。次いで、選択された広告は、符号５８で広告主のフィルタやホストサイト・フィルタを介して濾過され、この目的のため、事前記憶された禁止ワードや選択された広告各々の広告主によって或いは問題となっているホストによって予め規定された禁止ＵＲＬ５９を用いる。ログ操作６０は、ＩＰ頻度及びウェブサーファ情報等の例えば規準６２に基づき、有効性試験６１の基礎として提供される。これは全てのデータベース及び報告の日々の点検を可能として、不正クリック・パターンを削除する。この結果は、識別されたユーザのＩＰアドレスが、例えば１ヶ月又は恒久的な期間にわたって阻止されることに成り得る。
【００６０】
次いで、選択された広告は、ステップ６３で、ウェブサーファのコンピュータ・スクリーン上で見られるようにホストサイト上に表示される。ウェブサーファがその表示された広告上のマウスクリック６４を実行すると、これは符号６５でウェブサーファのコンピュータ・スクリーンの再方向付けをなして、広告主のサイトを示す。
【００６１】
関連広告の抽出は図４に更に図示されている。この図は、ホストサイト７３にアクセスするウェブサーファ又はユーザ７０によって始動される広告抽出プロセスの諸ステップの全体像である。これはユーザの国及び言語７２に基づくサーチ・オプション７１の復旧と、ホストサイト規準及びキーワード７５に基づくサーチ・オプション７４の復旧とで始まる。これには、符号７８で、ＲＳＳ、ＸＭＬ、又は、ＷＤＳＬのフォーマットで記憶された広告の反復によってなされる広告の照合ためのサーチ７６が続く。照合及びスコアリング７９は貯蔵所７８からの関連広告８０の抽出に至るように行われる。
【００６２】
ページにおけるキーワードに対する自動サーチは主に以下の４つの考慮点に基づく：
１．  ワード"opinion"に対するタイトルのパージングの以下の例のように、ワード及び属性のポイントに第１重み付けを付与するメタタグに対するタイトルのパージング：
<title>DialogCentral - Opinion</title>
<meta name="description" content="Identify and diagnose user experience issues and track user satisfaction page-by-page by continuously collecting and analyzing Web user feedback using OpinionLab OnlineOpinion system,">
<meta name="keywords" content="Opinion Lab, OpinionLab, online opinion, onlineopinion, user feedback, website feedback,">
２．  そのページからの画像及び付属テキストのように、メニュー及び他の「ノイズ」要因の削除。これは、そのページの「クリーニング」となって、識別され、そして、例えば赤等のカラーで輪郭が描かれた主要テキスト・ゾーンだけを残す。
３．  （正しくはより重要度を暗示するセンタでの）ページの主要テキスト・ゾーンにおいて分析されるべきテキストの状況の自動検出。
４．  関連性を補強するために選択されたキーワードの同義語及びエポニムとの関連付け
５．  以下に輪郭が描かれたようなステミング(stemming)又は茎取り。
【００６３】
この発明を具現化すべく使用されるステミングの概念は、１つの収集物中におけるいずれのドキュメントが、１つ又はそれ以上のサーチ用語や、多分それに加えて、重要度重量等の追加情報に基づき検索されるかを決定することを含む。この検索決定は、質問の用語をそのドキュメント中に現れる重要なワード又はフレーズ（「インデックス用語」）と比較することによってなされる。この決定は２進法であり得るか（検索／拒絶）、或いは、質問に対するドキュメントの関連性の度合いを示し得る。ワードはしばしば数多くの形態学的異形を有するので、「コンピューティング(computing)」及び「コンピュテーション(computation)」等の用語対を同等と認識することは自然言語処理（ＮＬＰ）のある種の形態を必要とする。しばしば、ワードの形態学的異形は同様の意味的解釈を有し、ＩＲ用途の目的に対して同等であると考えられ得る。この目的のため、ステミング・アルゴリズム又はステマー(stemmer)が開発されて、ワードをそのステム（茎）又は原形（根）に減縮し、そこでは質問又はドキュメントのキー用語は元のワードによってではなくステムによって表現される。これが意味することは、用語の様々な異形は単一の表現形態に融合され得て、辞書サイズも低減し、即ち、ドキュメントの集合を表現すべく必要とされる別個の用語の数も低減する。より小さな辞書は記憶スペース及び処理時間の節約となる。情報検索目的のため、生成されたステムは純粋なワードであってもそうでなくともよい。例えば、「コンピュテーション(computation)」は「コンピュート(comput)」にステミングされ得る、即ち、もし同一の基本意味を伴う様々なワードが同一形態に融合され、そして別の意味を伴うワードが個別に保持されるならばである。あるワードを言語学的に正しい（この場合は「コンピュート」）に変換するアルゴリズムはレマタイザー(lemmatizer)又は見出し語別分類器と呼称される。ステミング・アルゴリズムを用いるプロダクトの例は、ライコス及びグーグルのサーチ・エンジンと、情報検索のためにＮＬＰを用いたシソーラス及び他のプロダクトとである。
【００６４】
図５は、ウェブページからのキーワード及びフレーズの展開に関する諸ステップを図示する。この動作はページ復旧９０で始まり、符号９１で、そのページのクリーニングとＨＴＭＬコードの修正が続く。言語検出動作及び第１パージング動作は符号９２で行われ、必要とされる辞書のローディング９３を含む。これには、頻度ルールに従った第２パージング動作９４と、表現木（ｎ  ワード）の作成９５とが続く。次のステップ９６は、ＨＴＭＬルールの適用と、ページヘッダにおけるメタタグＨＴＭＬ表現の分析とを含む。グラフィック配置ステップ９８はフレーズの配置９９に基づいている。ステミング１００は、同一根を伴うワードを求めるサーチ１０１を含む。次いで同義語のサーチ１０２／１０３と、関連ワードをカバーするエポニムのサーチ１０３／１０４とがある。スコアリングは第２パージング・ステップ９４からエポニム・ステップ１０３までで行われ、それによって、分析されたワードは値に対する重み付けがなされる。その分析からの結果はウェブページのコンテンツと関連された選択ワード及びフレーズである。
【００６５】
図６は、スコアリングと関連された照合の一例のシミュレーションを図示する。真ん中の欄は一連の広告パートナＡＰを表現し、それらの広告に対する様々な選択基準を表示しており、それら規準は様々な組み合わせでの小文字「ｍ」、「ｎ」、「ｏ」、「ｐ」、「ｑ」によって表現されている。最下位のＡＰはフリー広告を提供するウェブ・サービス（アマゾンによって提供されるようなもの）である。２つのホスト・パートナＨＰは、各々がそれらの広告に対する同一の３つの規準「ｍ」、「ｎ」、「ｏ」を有して表現されている。しかしながら左手のＨＰは、その規準の２又は３が実現されなければならず、しかるに右手のＨＰは、その規準の１、２又は３が実現され得ることを明示している。
【００６６】
この例において、左手のＨＰは共通の規準「ｍｎｏ」及び「ｎｏ」を有する２つのＡＰと符合している。右手のＨＰはその３つの規準のうちの１又はそれ以上を含む４つのＡＰと符合している。それはフリー／ＷＳ ＡＰとも符合できる。通常、後者は、もし支払ＡＰと一致が全く無い場合にのみ広告を表示すべく使用されることになる。
【００６７】
この照合方式によって、（ともに３規準を伴う）考慮されているＨＰよりも多くの規準を有する（４規準の「ＡＰ-ｍｎｏｐ」のような）広告はこのＨＰによって決して表示されないことに留意すべきである。ＨＰは、ＨＰのせいぜい同一の規準数と対応する広告だけを表示する。
【００６８】
また、各ＨＰは広告の最大数を明示できて、もしあるＨＰがＡＰのより多くの数と符合すれば、無作為選択モードで動作できることに留意すべきである。
【００６９】
図６のこの単純な例はより多くの規準を有するとともに、より多くの規準の実現を必要としていることを図示し、より多くの選択をなしている。
【００７０】
図７は管理プラットフォームを図示し、該管理プラットフォームは：
アカウンティングに対して責任があるとともに広告の普及に責任がある少なくとも１つの管理サイト１２１であり、このサイトはホストサイト１１２及び広告主サイト１２３の制御を可能としている；
ユーザが表示パネル１１１を構築するとともに目標規準を規定することを可能とする、管理サイト内部の管理ファイル１２５；
オーナが広告をなすとともにそれらをホストサイトの目標とされた表示パネル上に普及することを可能とする広告主サイト１２３；
ホストサイト１１２と呼称される最終ユーザ・サイトであり、そこでは、ホストが選択規準を規定するともに表示パネルをダウンロードする。次いで、それはインタネット・ナビゲータ上にインストールされて、広告主サイトから由来する広告を配送する。
【００７１】
管理プラットフォームは、リンク及び支払の表示の制御、インボイスの制御とともになす。
【００７２】
この実施例のホストサイトで使用されているブラウザ１１０（図８ａ）は、先行技術の同等装置におけるように、ホストサイトのコード内に統合されたコンピュータ・コードによって構成されていない。逆に、このブラウザのコンフィギュレーションは、管理ファイル１２５と呼称される特定ファイル内で実行され、管理サイトによって管理され、そして、リンクの表示と装置のレイアウトに対して必要なデータを含む。
【００７３】
ホストサイト１１２のコンピュータ・コードは管理ファイル１２５の箇所を示す１つのリンクのみを含む。後者はブラウザ１１０のコンフィギュレーションに対して必要なデータを含む。このファイルはホストサイト１１２のオーナによってアクセスされ得て、そのオーナの都合によって変更され、しかも、仲裁をなす必要がある管理サイトのオーナ無しにである。よって、様々なコンフィギュレーションは非常に容易に試験され得て、ユーザにとってより著しい柔軟性を可能としている。
【００７４】
図８ａ及び図８ｂを参照して、図示されたブラウザ１１０は、コンピュータ・ディスプレイ上において、ホストサイト１１２から視覚化され得る表示パネル１１１を明らかに含む。本発明のこの実施例に従えば、この装置は、いくつかの予め規定されたフォーマットに従った、そして特に以下に記載される８つのフォーマットに従ったそのパネルの表示を可能とすべく提供される。第１フォーマットは好都合であるとともにバナーとして知られている。それは、サイトのページの上部に略配置された水平帯で参照される。
【００７５】
第２フォーマットは、垂直方向でありかつそのページの左又は右の上に略配置されている帯と対応してもいる。これらの帯は、規格化されること無しに、比較的標準である寸法を有して、サイト・クリエイターはインタネット・サイトの設計中に（対応する）予約済みのエリアを提供する。
【００７６】
第３フォーマットは、最後のサイト訪問又はユーザのお気に入りサイトの履歴等の一般データの表示用に通常は予約されているゾーン内において、垂直方向帯であり、そのページの左上に配置されている。このゾーンは、用語「サイド・バー」として知られている。
【００７７】
第４フォーマットはツール・バーと呼称され、それは、メニュー・バー付近でスクリーンの上部に表示される水平帯である。１つの変形に従えば、表示パネルは、電子メッセージで、ツール・バーの形態で表示され得る。
【００７８】
第５フォーマットはスマート・リンクのフォーマットであり、そこでは、ウェブページ内の関連ワード又は複数ワードが自動的又は手動的に選択されて、ウェブサーファのスクリーン・ポインタがウェブサーファのマウスの移動によってそのワード上を通過すると、その下線が引かれたワードに関連する広告の表示を起動するようになす。
【００７９】
第６フォーマットは、FeedSpiderと呼称され、図８ａ及び図８ｂを参照して以下に詳細に議論される。それは広告と、世界中の情報の自由に利用可能なソースからインポートされた文脈的ニュースのストリームとの表示を含むことができる。
【００８０】
第７フォーマットは、「ペイ・パー・コール・オーバ・ボイスアイピー(Pay per call over VoiceIP)」と呼称される。このフォーマットは、ウェブサーファがパーソナル・コンピュータから広告主までＶＯＩＰネットワークを介しての料金無料通話をなすことを可能としている。広告主は、その電話が自身に到達した場合のみに支払う。更なる詳細は図９に関連して付与される。
【００８１】
第８フォーマットはプラットフォーム・オペレータによってプラットフォーム上に維持されるページの形態であり、自分等自体のサイトを有しない或いはこの目的のために自分等自体のサイトを使用することを望まない広告主による使用のためのスポンササイト／ページとして有効である。
【００８２】
これらフォーマットは、本発明に従ったブラウジング装置が、広告バナーを統合しかつ最も大きな選択をユーザに提示するように設計された既存サイトと競合するように提案されている。また、特にスクリーン上に挿入された矩形であり、例えばスクリーンの真ん中に挿入された他のフォーマットも存在する。
【００８３】
一般に、使用されるサイズにかかわらず、表示パネルはユーザによって個人向けとなされて得る。事実、ユーザは対象の自分のエアリアを指示できる。広告リンクはそれらの対象のエリアと関連して表示される。表示パネルも広告活動を実行することを望む企業によって個人向けとなされ得る。特にポップアップ広告ブロッキング・ツール等の機能も付加され得る。
【００８４】
ホストが規定された自身の選択基準又は対象のエリアを有すると、表示パネルはユーザによってダウンロードされて、表示パネルは広告リンクを表示できる。
【００８５】
上述の第６フォーマット（FeedSpiderと呼称される）は図８ａに図示されている。本発明の好適実施例を構成するこの例において、表示パネル１１１は５つのエリアを含む。第１エリアは機能制御エリア１１３であり、パネル自体の管理と特定機能へのアクセスに対する指示を表示している。これらの指示は、例えば、移動、オープニング、クロージング、パネル１１１の表示又は削減に関係し得る。パネル１１１の閉鎖は、帰納制御エリアの例外を伴って、このパネルを形成しているエリアの表示の削減を意味すると理解される。オープニングは表示パネルのエリア１１３，１１４の全ての表示を意味すると理解される。削除は、機能制御エリア１１３を含んで、パネル１１１の完全な除去と対応している。展開は、パネル１１１の少なくとも一部、即ち、少なくとも機能制御エリア１１３や、随意的には、表示エリア１１４等の他のエリアの視覚化と対応している。
【００８６】
パネル１１１はソフトウェアの形態で形成され、より好ましくは、それらのタイプの用途に適合した柔軟性を提供する頭文字語ｄｈｔｍｌ（ダイナミック・ハイパーテキスト・マークアップ言語）として知られる言語で書かれたている。
【００８７】
図８ａにおいて、パネルは機能制御エリア１１３周りに配列された４つの矩形表示エリア１１４を含む。この制御エリア１１３は矩形であり、表示エリアは制御エリアの４つの隅において開いている。これら表示エリアは、様々なタイプの要素を視覚化させることを可能としている。これらの間に、特に広告リンク又は奨励リンク、即ちネットサーファがホストサイトから広告サイトにアクセスすることを可能とする広告リンク又は奨励リンクがある。これらリンクは図８ａにおける参照符号１１５で代表される。そうしたリンクの起動及び使用は以下に詳細に説明される。
【００８８】
好適実施例に従えば、少なくとも１つの表示エリア１１４は広告リンクの表示用に温存されている一方で、他のエリアはユーザの自由となるように残されている。表示リンクの複数のタイプの間には、図８ａにおいて参照符号１１６で表現されるように、リンク無しでデータ、例えば、ホストサイトのオーナ又は企業のアドレス或いは電話番号等のデータが存在し得る。また、写真、アクセス・プラン、又は、このタイプの他の任意の要素を表示することが可能である。このタイプ要素をクリックすることは何等効果がない。
【００８９】
別のタイプの要素は、参照符号１１７で指示されるように、ホストサイト上の別のページに向かうリンクを含み得る。このリンクはＵＲＬアドレス、テキスト、及び／又は、画像の形態で指示され得る。例えば、より大きなスケールで同一アクセス・プランを含むサイトのページと接続されたアクセス・プランを表現する画像を表示することが可能である。また、テキスト又は画像をマルチメディア・ファイルに追加することが可能である。
【００９０】
別の要素は、別のインタネット・サイトのページに向かうリンクを含み得る。先行して述べたように、このリンクはＵＲＬアドレス、テキスト、及び／又は、画像の形態で実行され得る。これは参照符号１１８で図示されている。
【００９１】
一具現化例において、リンクはホストサイトのオーナによって規定され、それも、表示パネルの対応するエリア内にユーザが表示を望む要素（テキスト／画像）を先ず導入し、次いで、この要素を必要に応じてＵＲＬアドレスと接続することによって、管理サイト１２１内に見出されるコンフィギュレーション・アシスタンス・メニューを用いる。
【００９２】
別の具現化例において、リンクは以下のようにして自動的に生成される。ホストサイト１１２のオーナが自分のサイト上にスポンサ付きリンク１１５を配置することを希望する場合、そのオーナはキーワード及び／又はカテゴリによって現れることを望むリンクのタイプを規定する。これらは、図７で表現されるように、管理サイト１２１のデータベース１２０に記憶される。同様に、スポンサのために意図された第２のコンフィギュレーション・アシスタンス・メニューによって、自身のサイトに向かうリンクがホストサイト上に現れることを望む広告主は、自身のリンクがキーワード又はカテゴリによって見られることを望むホストサイトのタイプを規定する。これら要素も管理サイト１２１のデータベース１２２内に記憶される。リンクに対する自動サーチは、先行して記載されたように、ホストサイト及び広告主の間の類似性をサーチすることによって、これらカテゴリ及び／又はキーワードに基づき実行される。
【００９３】
この実施例において、表示されたリンクの最大数を規定することが可能である。一例として、最大数Ｎとして、パネルのエリア内に例えば１０個のリンクが表示され得る。これらＮ個のリンクは最も関連したＮ個のリンクであり得て、即ち、ホストサイト及び広告主サイトによって規定される規準が最も類似しているようなものである。無作為に又はホストサイトの規準に応答する広告主サイトの全ての間で設定されたルールに従って決定されたＮ個のリンクを表示することも可能である。
【００９４】
本発明の特定の実施例に従って、表示パネルの各エリア内に表示された要素は同一タイプである。例えば、エリア１１６のうちの１つはリンク無しでデータのみを含む。アレイの別のエリア１１７はホストサイトの他のページに向かったリンクのみを含む。第３エリア１１８は他のサイトのページに向かったリンクのみを含み、第４エリア１１５はスポンサ付きリンクを含む。
【００９５】
特定のエリアの表示に対してオプショナルな期間であるとすることは可能であり、表示の他のものは強制的である。特にスポンサ付きリンク１１５を含むエリアの表示は強制的なものとする一方で、他のエリアの使用はホストサイトのオーナの制御下に残される。
【００９６】
機能制御エリア１１３は、様々な機能を有効に知性的にさせるアイコン又はテキストを含み得る。例えば、機能エリア内の特定のアイコン上に、例えば手の形態を有するコンピュータ・マウス等のポインタを配置することによって、そしてこのポインタを移動することによって、表示パネルを閉じる必要性無しに、そのサイトのページの全コンテンツにアクセスを可能とするように、表示パネル１１１を変位することが可能である。コンピュータ上の行動を表示パネルの機能と関連させることも可能である。一例として、「Ｆｃｔ」によって指示された機能キーのマウス・ボタン押圧と一緒の押圧は、オープニング又はクロージング、表示又は表示パネル１１１の削除等々の１つ又はそれ以上の行動を作り出すことができ、これら行動はパネルの現行状態に従って様々であり得る。
【００９７】
この管理プラットフォーム１２１（図７）は、表示パネルの規定に対して必要なデータを含む管理手段１２４を含む。より具体的には、管理プラットフォーム１２１は、各ホストサイト１１２毎に、正規データ及び基本データを含む。
【００９８】
フォーマット・データは、サイズ、箇所、カラー、並びに、表示パネル１１１の形態と特に関係している。また、表示されるエリア数又は表示パネル１１１の一般的な局面の規定を可能とする他の任意のデータとも関係し得る。
【００９９】
基本データは、表示パネル１１１の作業に必要なデータ、特にパネル１１１上に現れるリンクＵＲＬアドレスと関係している。また、キーワードや、ホストサイトのオーナによって規定されてホストサイト１１２の規準に対するデータベース１２０に記憶されている規準とも関係している。
【０１００】
この情報は管理ファイル１２５と呼称されるコンピュータ・ファイル内に含まれて、管理センタ１２１と接続される。このファイル１２５に向かったリンクはホストサイト１１２のコンピュータ・コード内に配置されなければならない。留意すべきことは、このリンクはファイル・アドレスによってのみ形成されており、他の要素はホストサイト１１２のコンピュータ・コード内に変更される必要性が全くないことである。これが特に意味することは、ホストサイト１１２のコンピュータ・コードは、現在存在するサイトとは異なって、先に述べた正規データと関係する任意の情報を含まないことである。
【０１０１】
表示パネル１１１はホストサイト１１２のオーナの要件に従って構成されるとともに、このオーナによって、自分のサイトから始まって、必要されるデータの全てを含む管理ファイル１２５にアクセスすることによって構成される。留意されることは、コンフィギュレーション・アシスタンス・メニューは表示パネル１１１の正規局面だけではなく、機能局面をも規定すべく提供され得ることである。このアシスタンス・メニューは、例えば、ユーザによって予め規定及び／又は選択されるべき表示パネル１１１に対する様々なフォーマットを提案する。このアシスタンス・メニューも、自由形態でのキーワードの導入、及び／又は、予め規定されたカテゴリの指定をも可能としている。
【０１０２】
決定されたホストサイト１１２と関係した管理プラットフォーム１２１のファイル１２５へのアクセスはこのホストサイト１１２と接続された識別コードを提供することに実行され、それも、このファイル１２５にアクセスしようとする人が必要な権利を所有していることを保証するようにである。この識別は、ユーザネーム及びパスワードの導入によって好都合に実行され得るが、特に暗号的プロセス等の他の手段も使用可能である。管理センタ１２１が、人が管理ファイル１２５のコンテンツを変更すべく必要な権利を有すると決定した場合、後者は変更の特定番号を一任するようにその人間にアクセスさせられる。
【０１０３】
このプロセスは、インストール、コンフィギュレーション、並びに、変更が実行のために極端に単純でありかつ直ちに具現化されるという事実によって特に有益である。それ故に、例えば、適切なページ・レイアウトが見出されるまで、表示されたエリア１１４の数、それらのサイズ、カラー等々を変えることによって、表示パネル１１１の様々なページ・レイアウトを試験することが可能である。同様に、任意の時点で、リンクを削除すること、或いは別のリンクを追加すること、或いは、管理サイト１２１のマネージャの一任を待機する必要性無しにもはや有効でないリンクを修正することが可能である。もし、ホストサイト１１２上に現れているスポンサ付きリンク１１５がそのオーナにとって適切ではないと思われた場合、そのＵＲＬアドレスを管理ファイル１２５内に指示することによって、そして、そのリンクは使用されるべきではないことを明示することによって、決定されたリンクの表示を禁止することも非常に簡単である。
【０１０４】
先行して指示されたように、管理プラットフォーム１２１は広告主又はプロモータに結着した別のデータベース１２２を含む。このデータベース１２２はこれら広告主と関係したデータの全て、特に自分等が現れることを望む自分等のサイト又はホストサイト１１２を規定するカテゴリ及び／又はキーワードを含む。一例として、特定の決定された社会-職業上のカテゴリが意図された最高級の車を市場に出す広告主は、カテゴリ「車」ではなく、この種の得意先と関係するキーワード又はカテゴリとして登録する。
【０１０５】
広告主データベース１２２は、リンクの金融的局面の管理に必要とされる規準の特定数をも含む。特に、このデータベース１２２は、コスト-パー-クリック（クリック型課金）と呼称されるホストサイトからその広告へのアクセスに対して支払うべき額を伴って広告主が所与の広告活動のために投資すべく準備した最大額と対応する合計額を含み得る。それ故に、ネットサーファがホストサイトを介してプロモータのサイトにアクセスする度に、そのプロモータは合計額に到達するまでそのクリック型課金と対応する額を支払う。この時点で、広告主は自身のアカウントに支払うことが要求されるか、或いは、リンクはホストサイト１１２から引き下げられる。留意すべきことは、クリック型課金は静的又は動的、かつ、日々の純然たる訪問数等の特定パラメータに従って可変的に規定され得ることである。実際上、クリック型課金はスポンサによって導入されたカテゴリ及び／又はキーワードの数に従って規定され得る。カテゴリ数がより多ければ、より多くの広告が目標化されて、クリック型課金がより多くなる。他の金融的アプローチも提供され得る。例えば、クリック型課金ばかりではなく、プロモータのサイトへの訪問期間に対するコストをも規定することが可能であり、これは、そのサイトへの訪問がより長ければ、訪問者がより興味を引いているという原理に基づいている。勿論、これら２つのアプローチの組み合わせも、均一料金をクリック型課金と期間にしたがった可変コストに結合することによって可能である。
【０１０６】
管理プラットフォーム１２１は金融的管理データベース１２６を含む。このデータベースはホストサイト１１２を登録し、それからスポンササイト１２３が訪問を受け、そのスポンササイト１２３は仕切りパラメータとともにそれら訪問を生成するホストサイト１１２に関連して訪問される。これらパラメータは先行して述べたものであり、即ち、これら動作に含まれる額の分配を設定すべく考慮されなければならない全パラメータとともに、クリック型課金、及び／又は、訪問期間である。
【０１０７】
本発明のこの実施例は、短所を提示することなく、様々な既存ブラウジング・システムの長所を組み合わせるので、先行技術装置を凌いで特に有益である。特にこの装置は、コンフィギュレーション・パラメータのホストサイトのコンピュータ・コードへの導入を必要とせず、そのコンフィギュレーション及び使用方法に関してより簡単なインストールとより大きな柔軟性とを可能としている。予備のブラウジング要素として、それは連続的か又は要求に応じてかのいずれかでユーザにとって有効のまま維持できる。表示パネル１１１はサイト間又は１サイト内でのブラウジングを可能としており、それは、有用なデータを表示すべく利用可能なスペースの重大かつ不可逆的な損失を暗示すること無しに、非常に使い勝手が良くかつ効果的である。更にはそれは、ホストサイトのオーナとスポンササイトのオーナとの双方に対して単純で、柔軟な、かつ、目標とされた方式でスポンサ付きリンクの管理を可能としている。
【０１０８】
図７の管理プラットフォームは本発明に従ったシステム全体に統合し、図１ないし図６を参照して記載されたあらゆる特徴を含み得る。
【０１０９】
図９はＶＯＩＰアプリケーションの線図であり、職業上のパートナとの通信にわたる制御を可能としている。ＳＫＹＰＥ、ＭＳＮ、並びに、ＧＩＺＭＯのようなプログラムを用いてクリック報酬型は、技術的サポート、直接販売、又は、販売補助のうちのいずれかのため、広告主が任意の通信費用無しにクライアントと直に接触することを可能としている。
【０１１０】
この技術は、各管理プラットフォームのサービスの一部として、本発明に従ったシステムに組み込まれ得る。これは、ウェブサイト・エディタ、サーチ・エンジン・プロバイダ、並びに、垂直階層を伴うポータル、又は、汎用ポータルが、それら自体のブランドで、バック・オフィス及び広告サーバと組み合わせてＡＳＰモードでスポンサ付きリンク・サービスを動作させることを可能として、ＶＯＩＰ接続をも提供する。
【０１１１】
ここに記載されたＶＯＩＰアプリケーションも、上記特許文献１又はウェブ・サービス又は専用ＡＰＩによって管理される独立型システムに従ったブラウジング・システムの一部として提供され得る。
【０１１２】
基本的概念は、ウェブサーファが広告上をクリックすると、ＳＫＹＰＥ等のＶＯＩＰアプリケーションを介してその広告主と直に接続されるということである。もし電話オペレータが利用可能でなければ、ウェブサーファはコールバックを要求できるウェブ・ページに直ちに再方向付けされる。
【０１１３】
このシステムは電話交換機のように動作する。管理プラットフォームと接続されて、来信電話を商業的アドバイザの活動とともに管理する。
【０１１４】
管理プラットフォーム又はＶＯＩＰシステムは、ウェブサーファの言語や多数の地理学的ゾーンに配置され得る商業的アドバイザの有効性等の様々なパラメータの機能として、来信電話を方向付けるように構成され得る。
【０１１５】
広告主又は他のユーザは、会話がシステムによって規定された最小期間を超えた時に電話毎に課金され得る。
【０１１６】
この発明に従ったＶＯＩＰシステムは以下のキー・オペレーティング特徴を有し得る：
・自動有効性管理：これは電話を有効時間スロットを予め規定できるか、或いは、それらが電話用に有効ではない際に不在信号を表示できる有効なオペレータ又は商業的アドバイザだけに電話を自動的に方向付ける。
・言語管理：これは言語管理構成を有することによって、電話はオペレータの言語の機能として方向付けられ得る。
・プロダクト管理：これは特定のプロダクトの機能として電話をオペレータに方向付けるための機能をも有する。
・割当数量管理：これは各オペレータが受け取り得る電話の最大割当数量を決定できる。
・電話記録：これは、各広告クリック、各キーワードクリック、発信サイト、電話の日付け及び期間、電話の主題、関与するプロダクト、コメント、電話のカテゴリ（「興味のある」、「興味がない」、「クライアント」等々）、クライアントの氏名、クライアントのｅ−メール・アドレス等々の各電話の正確な記録を保存できる。
・データ・エクスポート：これは、ＣＲＭ（顧客関連管理）又は他のビジネス・アプリケーションによる宣伝のためのＣＳＶ（バージョン管理システム）又はＸＭＬフォーマットにおける電話記録のエクスポートを可能とすることができる。
・ウェブ・バック-オフィス管理：これはウェブ・バック-オフィス管理ユニットを含み得て、それがオペレータをセットアップするための管理プラットフォームを提供するとともに、オペレータに対するパラメータ、管理プロダクトを提供し、オペレータの行動にアクセスし、そして、オペレータ行動報告を提供する。
【０１１７】
図９は、どのようにしてクライアント１５０（ウェブサーファ、予想購買者）が電話オペレータを介して広告主１６０にアクセスするか、本発明のＶＯＩＰシステムを用いて販売アドバイザ又は顧客支援サービス１７０にアクセスするかを概略的に示している。
【０１１８】
先ず、クライアント１５０は、広告の文脈表示に対するシステム、より好ましくは先行して記載されたシステムを用いることで、或いは、上記特許文献１に従ったブラウジング装置を用いることで、インタネットを介して自身のコンピュータ・スクリーン上に表示された広告上をクリックする。このクリックは管理プラットフォーム３０と繋がり、ＳＫＹＰＥネットワーク上の広告主１６０の状況を復旧する、即ち、電話オペレータの専有、販売アドバイザ、又は、顧客支援サービス１７０を復旧する。これは、電話やそれらの言語等を取り込むべく広告主オペレータの有効性を決定し、この状況はクライアントのコンピュータ・スクリーン上に表示される。次いで、もし広告主の状況が「有効」であれば、クライアントは広告主１６０に電話することを直ちに要求する（又は、もしオペレータの状況が電話要求が遅延されるという「専有状態」であれば、ユーザは追っての電話の指示を伴ったウェブ-ページに向けられる）。この電話要求は管理プラットフォーム３０によってログされ、次いでその要求を広告主１６０に伝達する。この電話要求に応答して、広告主１６０はＳＫＹＰＥを用いてクライアント１５０に電話する。電話の最後に、先行して記載されたように、管理プラットフォーム３０によってその電話のログ／記録がなされる。この電話記録は広告主１６０の箇所及び／又は管理プラットフォーム３０内に記憶され得る。この管理プラットフォーム３０は上述の機能の全てをも実行できる。
【０１１９】
広告の文脈表示と組み合わされた上記ＶＯＩＰシステムに対して、例えば電話通信が始動される際だけの支払に限定されるように、広告主がクリック毎に支払をなすクリック報酬型モードで動作することは好都合である。様々なインボイス・モードも、特に、２つの集団の間での様々な関係を含む他の用途に対して可能である。他のインボイス・モードの例は、免許料を課すこと、通信の期間に従った課金、又は、定額課金である。
【０１２０】
広告の文脈表示に加えて、上記ＶＯＩＰシステムは、クライアント／ウェブサーファによって始動された電話に対する応答のための電話オペレータと関連されたホストサイトを含む任意の用途に全般的に適用され、通信教育、技術支援サービス、投資顧問業、Ｅ-ビジネス、テレマーケティングを含む。
【図面の簡単な説明】
【０１２１】
【図１】図１は、共用サーバ・プラットフォームを介して相互接続された２つの管理プラットフォームが相互のホストサイト上にどのようにして広告を配置するかを図示する、本発明に従ったシステムの線図である。
【図２】図２は、１つの管理プラットフォームの組織の線図である。
【図３】図３は、目標とされた広告リンクを処理する各種ステップの線図である。
【図４】図４は、目標とされた広告リンクを処理する各種ステップの線図である。
【図５】図５は、目標とされた広告リンクを処理する各種ステップの線図である。
【図６】図６は、照合及びスコアリングの原理を図示する。
【図７】図７は、別の管理プラットフォームとそのコンピュータ・ネットワークとの相互作用との線図である。
【図８−ａ】図８ａは、ホストサイトのコンピュータ・ディスプレイ上に現れるような、本発明の好適実施例に係るブラウジング装置を示す。
【図８−ｂ】図８ｂは部分的に閉じられた図８ａのブラウジング装置を示す。
【図９】図９は、ＶＯＩＰアプリケーションの線図である。
【図１】
2006195974.tif 000003
【図２】
2006195974.tif 000004
【図３】
2006195974.tif 000005
【図４】
2006195974.tif 000006
【図５】
2006195974.tif 000007
【図６】
2006195974.tif 000008
【図７】
2006195974.tif 000009
【図８−ａ】
2006195974.tif 000010
【図８−ｂ】
2006195974.tif 000011
【図９】
2006195974.tif 000012